(57)【要約】【課題】簡易な構成で、印刷される環境の光源に応じた色再現を行うことができる画像処理装置を提供する。【解決手段】ユーザの観察環境に相異なる複数の基準光源下において無彩色色材を用いたブラックとプロセスブラックとが等しく見えるように予め設定された複数の色変換手段と、複数の色変換手段を組み合わせて得られる複数の新たな色変換手段と、複数の色変換手段と複数の新たな色変換手段を用いて、ブラックとプロセスブラックとの両方により印刷されたそれぞれが複数のパッチからなる複数のパッチセットを印刷するパッチ印刷手段と、印刷された複数のパッチセットから、ユーザが観察環境において選択したパッチセットを受け付ける受付手段と、受け付けられたパッチセットに対応する、複数の新たな色変換手段と複数の色変換手段とのいずれかを用いて、画像を印刷する印刷手段とを備える。【選択図】図５
2010148073.tif 000002
【特許請求の範囲】
【請求項１】
ユーザの観察環境において該ユーザの意図した色を再現するように画像を印刷する画像処理装置において実行される画像処理方法であって、
相異なる複数の基準光源下において無彩色色材を用いたブラックとプロセスブラックとが等しく見えるように予め設定された複数の色変換手段と、前記複数の色変換手段を組み合わせて得られる複数の新たな色変換手段とを用いて、前記ブラックと前記プロセスブラックとの両方により印刷されたそれぞれが複数のパッチからなる複数のパッチセットを印刷するパッチ印刷工程と、
前記パッチ印刷工程において印刷された前記複数のパッチセットから、ユーザが前記観察環境において選択したパッチセットを受け付ける受付工程と、
受け付けられた前記パッチセットに対応する、前記複数の新たな色変換手段と前記複数の色変換手段とのいずれかを用いて、前記画像を印刷する印刷工程と
を備えることを特徴とする画像処理方法。
【請求項２】
ユーザの観察環境において該ユーザの意図した色を再現するように画像を印刷する画像処理装置であって、
相異なる複数の基準光源下において無彩色色材を用いたブラックとプロセスブラックとが等しく見えるように予め設定された複数の色変換手段と、
前記複数の色変換手段を組み合わせて得られる複数の新たな色変換手段と、
前記複数の色変換手段と前記複数の新たな色変換手段を用いて、前記ブラックと前記プロセスブラックとの両方により印刷されたそれぞれが複数のパッチからなる複数のパッチセットを印刷するパッチ印刷手段と、
前記パッチ印刷手段によって印刷された前記複数のパッチセットから、ユーザが前記観察環境において選択したパッチセットを受け付ける受付手段と、
受け付けられた前記パッチセットに対応する、前記複数の新たな色変換手段と前記複数の色変換手段とのいずれかを用いて、前記画像を印刷する印刷手段と
を備えることを特徴とする画像処理装置。
【請求項３】
前記複数のパッチセットそれぞれは、前記ブラックと前記プロセスブラックとにより印刷されたパッチが交互に配置されていることを特徴とする請求項２に記載の画像処理装置。
【請求項４】
前記色変換手段は、ルックアップテーブルまたはマトリクスにより構成されることを特徴とする請求項２又は３に記載の画像処理装置。
【請求項５】
前記複数の新たな色変換手段の各々は、前記複数の色変換手段の各々からの寄与を異ならせることにより生成されることを特徴とする請求項２乃至４のいずれか１項に記載の画像処理装置。
【発明の詳細な説明】
【技術分野】
【０００１】
本発明は、ユーザの観察環境において該ユーザの意図した色を再現するように画像を印刷する画像処理装置に関する。
【背景技術】
【０００２】
従来、画像記録装置は、その記録物を、ある特定の光源下で観察することを想定して画像設計されてきた。例えば、ＣＩＥ（国際照明委員会）によれば、記録物である反射原稿の標準観察光源として補助標準の光を定めている。これに従うと、記録物である反射原稿を観察する際には、相関色温度が５０００Ｋ（ケルビン）であるＤ５０光源の下での観察が推奨されている。従って、画像記録装置は、Ｄ５０光源の下で最も好適な色再現を実現するように色設計されている。
【０００３】
しかしながら、利用者による実際の利用環境は一意に決められるものではない。例えば、太陽光と蛍光灯が混在した環境のようなものであることが考えられる。このような環境下では、Ｄ５０環境下で意図した色再現を実現できないことがある。以下、その理由を述べる。
【０００４】
観察者が原稿を観察して感応する色は、反射原稿を照射する光の波長によって決定される。例えば、太陽光線は、可視光のうち短波長側から長波長側までほぼ連続した強度を持っている。一方、人工照明としてはこのような波長を実現することは困難であり、可視光域内の特定の波長にピークを持つ光源を混ぜ合わせることによって、人工的に白色光を作り出すことができる。この人工的な白色光は、太陽光と異なり強度のピークが不連続な光となることが多い。
【０００５】
一方で、反射原稿の分光反射率は、紙やプラスティックなどの記録媒体と、染料や顔料といったインクの分光反射特性によって定まる。このような反射原稿に自然光のような連続的な分光分布を有する白色光を照射して得られる反射光と、人工的な非連続的な分光分布を有する白色光を照射して得られる反射光では、夫々特性が異なる。この結果、色の見え方が異なってくるのである。
【０００６】
このような状況を想定し、例えば、特許文献１、特許文献２、特許文献３が提案されている。これらの方法を用いることによって、利用者の観察環境にあっても設計者の意図した色をできる限り再現させることができていた。
【特許文献１】特開２００７−２８１６２０号公報
【特許文献２】特開２００７−１６６４０２号公報
【特許文献３】特開２００３−２５００５５号公報
【発明の開示】
【発明が解決しようとする課題】
【０００７】
しかしながら、特許文献１では、色の見えモデルを用いて白順応を考慮した色補正手段が記載されているが、モデルが個々の使用者の使用環境に必ずしも一致するとは限らず、また使用者は適切に自分の観察環境を設定できるとは限らない。
【０００８】
また、特許文献２では、使用者が任意の光源を指定可能な色補正手段が記載されているが、使用者は自分の観察環境を把握する必要があり、一般の使用者向きではない。
【０００９】
さらに、特許文献３では、観察光源の構成比を取得することを考慮に入れた色変換手段が記載されているが、そのために装置に観察環境の光源を測定する構成を設けなくてはならず、コストがかかってしまう。
【００１０】
そこで、上記の点に鑑み、本発明は、簡易な構成で、印刷される環境の光源に応じた色再現を行うことができる画像処理装置を提供することを目的とする。
【課題を解決するための手段】
【００１１】
上記課題を解決するため、本発明に係る画像処理装置は、ユーザの観察環境において該ユーザの意図した色を再現するように画像を印刷する画像処理装置であって、相異なる複数の基準光源下において無彩色色材を用いたブラックとプロセスブラックとが等しく見えるように予め設定された複数の色変換手段と、前記複数の色変換手段を組み合わせて得られる複数の新たな色変換手段と、前記複数の色変換手段と前記複数の新たな色変換手段を用いて、前記ブラックと前記プロセスブラックとの両方により印刷されたそれぞれが複数のパッチからなる複数のパッチセットを印刷するパッチ印刷手段と、前記パッチ印刷手段によって印刷された前記複数のパッチセットから、ユーザが前記観察環境において選択したパッチセットを受け付ける受付手段と、受け付けられた前記パッチセットに対応する、前記複数の新たな色変換手段と前記複数の色変換手段とのいずれかを用いて、前記画像を印刷する印刷手段とを備える。
【００１２】
また、本発明に係る画像処理方法は、ユーザの観察環境において該ユーザの意図した色を再現するように画像を印刷する画像処理装置において実行される画像処理方法であって、相異なる複数の基準光源下において無彩色色材を用いたブラックとプロセスブラックとが等しく見えるように予め設定された複数の色変換手段と、前記複数の色変換手段を組み合わせて得られる複数の新たな色変換手段とを用いて、前記ブラックと前記プロセスブラックとの両方により印刷されたそれぞれが複数のパッチからなる複数のパッチセットを印刷するパッチ印刷工程と、前記パッチ印刷工程において印刷された前記複数のパッチセットから、ユーザが前記観察環境において選択したパッチセットを受け付ける受付工程と、受け付けられた前記パッチセットに対応する、前記複数の新たな色変換手段と前記複数の色変換手段とのいずれかを用いて、前記画像を印刷する印刷工程とを備える。
【発明の効果】
【００１３】
本発明によれば、簡易な構成で、印刷される環境の光源に応じた色再現を行うことができる。
【発明を実施するための最良の形態】
【００１４】
以下に、本発明を実施するための最良の形態について、図面を参照しながら詳しく説明する。なお、同一の構成要素には同一の参照番号を付して、説明を省略する。なお、以下に説明する実施形態では、インクジェット記録方式を用いた記録装置としてのプリンタを例に挙げて説明する。
【００１５】
＜インクジェット記録装置＞
図１は、本発明に適用可能なインクジェット記録装置の内部構成を示す図である。１は、紙或いはプラスチックシート等の記録媒体である。記録前、記録媒体１は、不図示のカセット等に複数枚積層されており、記録が開始されると不図示の給紙ローラによって、記録装置本体内に１枚ずつ供給される。３は、第１搬送ローラ対、４は、第２搬送ローラ対であり、両者は所定の間隔を隔てて図の様に配置されている。第１搬送ローラ対３および第２搬送ローラ対４は、夫々個々のステッピングモータ（図示せず）によって駆動され、これらローラ対に挟持された記録媒体１を矢印Ａ方向に所定量ずつ搬送する。
【００１６】
５ａ〜５ｄは、インクジェット記録装置の記録ヘッド１１にインク（色材）を供給するためのインクタンクであり、５ａは、ブラック（Ｋ）、５ｂは、シアン、５ｃは、マゼンタ、５ｄは、イエロー（Ｙ）のインクをそれぞれ収容している。記録ヘッド１１よりインクを吐出する吐出口面は、第１搬送ローラ対３および第２搬送ローラ対４により挟持されて、ある程度の張力を持った記録媒体１に対向して配置されている。全４色のインクを吐出する記録ヘッド１１は、各色で独立に構成されていても良いし、一体的に構成されていても良い。
【００１７】
記録ヘッド１１およびインクタンク５ａ〜５ｄは、キャリッジ６に着脱可能に搭載可能となっている。１０は、キャリッジモータであり、２つのプーリ８ａ、８ｂおよびベルト７を介することにより、キャリッジ６を矢印Ｂ方向に往復移動させることが可能である。この際、キャリッジ６は、ガイドシャフト９によってその走査方向が案内指示されている。
【００１８】
２は、記録ヘッド１１のメンテナンス処理を行うための回復部である。記録ヘッド１１は、必要に応じて回復部２が配備されたホームポジションに移動し、回復部２は、記録ヘッド１１の吐出口に生じたインク詰まりを除去するなどの回復処理を行う。
【００１９】
記録を行う際、キャリッジ６は、矢印Ｂ方向へ所定の速度で移動し、記録ヘッド１１からは画像データに応じて適切なタイミングでインク滴が吐出される。記録ヘッド１１による１回の記録走査が終了すると、搬送ローラ対３および４は記録媒体１を矢印Ａ方向に所定量だけ搬送する。このような記録走査と記録媒体の搬送とを交互に行うことにより、記録媒体１には順次画像が形成されていく。なお、記録媒体の搬送方向である矢印Ａ方向は、ヘッドの走査方向である矢印Ｂ方向に対して直交している。
【００２０】
図２は、記録ヘッド１１の吐出口の配列状態を説明するための模式図である。各色の吐出口列は、キャリッジの走査方向である矢印Ｂに対し、インクタンク５ａ〜５ｄと同様の順番（ＫＣＭＹの順）で図の様に配列されている。図２では、インクタンク５ａから供給されるブラックインクを吐出するブラック吐出口列は省略している。不図示のブラックインク吐出口列の右側には、インクタンク５ｂから供給されるシアンインクを大液滴として吐出する大シアンインク吐出口列１１Ｃ、同じくシアンインクを小液滴として吐出する小シアンインク吐出口列１１ｓｃが配置される。また、小シアンインク吐出口列１１ｓｃの右側には、インクタンク５ｃから供給されるマゼンタインクを大液滴として吐出する大マゼンタインク吐出口列１１Ｍ、同じくマゼンタインクを小液滴として吐出する小マゼンタインク吐出口列１１ｓｍが配置される。
【００２１】
更に、小マゼンタインク吐出口列１１ｓｍの右側には、インクタンク５ｃから供給されるイエローインクを大液滴として吐出する大イエローインク吐出口列１１Ｙ、同じくイエローインクを小液滴として吐出する小イエローインク吐出口列１１ｓｙが配置される。これら各色の吐出口列を構成する吐出口は、記録媒体搬送方向と略同じ方向に沿って、約４２μｍのピッチで５１２個ずつ配列されている。よって、記録ヘッド１１が１回の記録走査を行うことにより、記録媒体には例えば６００ｄｐｉ（ドット／インチ）の解像度を有し、且つ、高さ約２１．６ｍｍを有する画像が形成される。
【００２２】
図３は、本実施形態で適用する画像処理システムを説明するためのブロック図である。図３に示すように、本画像処理システムは、ホストコンピュータ１０１と図１に示すインクジェット記録装置１０９とを含んでいる。
【００２３】
ホストコンピュータ１０１には、ＣＰＵ１０２、メモリ１０３、外部記憶部１０４、入力部１０５、およびプリンタインタフェース１０６、外部インタフェース１０７、ディスプレイ１０８を含んでいる。
【００２４】
ＣＰＵ１０２は、外部記憶部１０４に格納された、以下、図５において述べるパッチ印刷専用の特殊なプログラム及び色補正用のプログラムを実行することにより、後述する様々な画像データの変換処理や、記録に係る処理全般を行う。メモリ１０３は、変換処理を行う際のワークエリアとして、また、画像データの一時的な記憶領域として用いられる。なお、画像データの変換処理などを実行するためのプログラムは、不図示の外部記憶装置などから外部インタフェース１０７を介してホストコンピュータ１０１に供給される形態であっても良い。ユーザは、ディスプレイ１０８を確認しながら、入力部１０５を用いて各種コマンドを入力することができる。
【００２５】
ホストコンピュータ１０１は、プリンタインタフェース１０６を介してインクジェット記録装置１０９と接続されており、ＣＰＵ１０２は、変換処理を施した画像データをインクジェット記録装置１０９に送信して記録を実行させる。
【００２６】
図４は、本実施形態において、ホストコンピュータのＣＰＵ１０２が行う画像の印刷処理の手順を示すフローチャートである。まず、ステップＳ４０１において、レッド（Ｒ）、グリーン（Ｇ）およびブルー（Ｂ）の輝度信号で表される８ビット(２５６階調)の画像データを外部記憶部１０４からメモリ１０３に展開する。
【００２７】
次に、ステップＳ４０２において、観察環境下において設計者が意図した通りの色を実現する為のルックアップテーブルを生成する色補正処理が行われる。この処理については後述する。
【００２８】
ステップＳ４０２に示す色補正処理においては、三次元のＲＧＢ信号から、同じ三次元のＲＧＢへの変換処理が行われている。この変換処理には、マトリクスを用いた変換処理や、三次元の色変換処理ルックアップテーブル（ＬＵＴ）を用いた色変換処理が用いられる。
【００２９】
次に、ステップＳ４０３において、ＲＧＢ信号からＣ、Ｍ、Ｙ、ＳＣ、ＳＭ、ＳＹおよびＫの濃度信号に変換される。ここでも三次元のルックアップテーブルが利用される。即ち、ＣＰＵ１０２は、ルックアップテーブルを参照することにより、入力されたＲＧＢ信号値の組み合わせに対応した、Ｃ、Ｍ、Ｙ、ＳＣ、ＳＭ、ＳＹおよびＫで表現される濃度信号値を求める。
【００３０】
また、ルックアップテーブルには、特定且つ離散的なＲＧＢ信号に対する濃度信号しか保持されていないので、ステップＳ４０１で展開された各色２５６段階で表現されるＲＧＢの全ての組み合わせに対応できない場合もあり得る。そこで、ステップＳ４０３においては、ＬＵＴに保持されていない色領域のＲＧＢ信号に対しては、保持している複数のデータを用いて、補間処理で求めている。ここで行われる補間処理方法は公知の技術であるので詳細な説明は省略する。
【００３１】
ステップＳ４０３に示す色変換処理で取得される濃度信号の値は、入力値である輝度信号値と同様に８ｂｉｔで表現された２５６段階の階調値を有する濃度データとして出力される。具体的には、ＲＧＢの８ビットデータが、シアン（Ｃ）、マゼンタ（Ｍ）、イエロー（Ｙ）、小シアン（ＳＣ）、小マゼンタ（ＳＭ）、小イエロー（ＳＹ）、およびブラック（Ｋ）の１ビットデータに変換される。
【００３２】
次に、ステップＳ４０４において、最終的に記録媒体で表現される光学濃度が、入力される濃度信号に対して線形性を保つように、インク色ごとに補正をかける出力ガンマ補正が行われる。本実施形態においては、各色独立に用意された１次元のルックアップテーブルが参照される。また、出力ガンマ補正からの出力信号は、入力値と同様に８ｂｉｔの濃度データである。ステップＳ４０５において、出力ガンマ補正された濃度信号がインクジェット記録装置１０９に送信される。
【００３３】
以下、ステップＳ４０２に示す色補正処理の手順について述べる。なお、本実施形態においては、常に、図４に示したフローチャートにおいて、以下に述べるルックアップテーブルの生成が行われるわけではない。例えば、図４に示したフローチャートを最初に処理する際に、観察環境下において設計者が意図した通りの色を実現する為のルックアップテーブルを生成し、記憶領域等に格納しておく。次回からの画像の印刷処理においては、ステップＳ４０２において、上記ルックアップテーブルの生成は行わずに、既に格納されているルックアップテーブルを用いて色変換処理を行う。
【００３４】
図５は、本実施形態における色補正処理の手順を示すフローチャートである。環境光による見た目の差異は、記録媒体である紙などに記録されたインクの構成比率によって変わってくる。
【００３５】
そこで、本実施形態においては、相異なり基準となる第１の光源と第２の光源下で最適化されたパラメータを取得する。具体的には、例えば、Ｄ５０基準光源下で単色の黒インク（ブラック。無彩色色材Ｋ）と、Ｃ、Ｍ、Ｙの有彩色色材による混合黒（即ち、プロセスブラック。以下「ＰＫ」という）が、同じ黒色になるようなＤ５０用のルックアップテーブルを予め用意する。以下、Ｄ５０用のルックアップテーブル（Ｄ５０光源下で最適化されたルックアップテーブル）を「ＬＵＴ−Ｄ５０」又は「基準ルックアップテーブル」という。
【００３６】
また、例えば、Ｆ１０基準光源下でＫとＰＫが同じ色になるような（Ｆ１０光源下で最適化された）Ｆ１０用のルックアップテーブル（以下「ＬＵＴ−Ｆ１０」又は「基準ルックアップテーブル」とする）を予め用意する。ここで、Ｄ５０は第１の光源となり、Ｆ１０は第２の光源となる。
【００３７】
以上のような基準ルックアップテーブルは、外部記憶部１０４に予め用意しておき、ステップＳ５０１、Ｓ５０２において、それぞれメモリ１０３に読み込むことで基準ルックアップテーブルのパラメータを取得する。
【００３８】
次に、ステップＳ５０３において、任意の比率で「ＬＵＴ−Ｄ５０」と「ＬＵＴ−Ｆ１０」を混合（合成）した新たなルックアップテーブルを複数生成する。ここで、混合方法は、混合対象となる各ルックアップテーブルから同じ入力値に対応する格子点に格納されている出力値に対して、混合比率で重み付けして加算することでその格子点に対する新たな出力値を算出する。本実施形態においては、例えば５つのルックアップテーブルを生成した場合を説明する。
【００３９】
「ＬＵＴ−Ｄ５０」に対する「ＬＵＴ−Ｆ１０」の混合比率を０％としたルックアップテーブル、即ち「ＬＵＴ−Ｄ５０」を生成する。また、「ＬＵＴ−Ｄ５０」に対する「ＬＵＴ−Ｆ１０」の混合比率を２５％としたルックアップテーブル「ＬＵＴ−２５」を生成する。また、「ＬＵＴ−Ｄ５０」に対する「ＬＵＴ−Ｆ１０」の混合比率を５０％としたルックアップテーブル「ＬＵＴ−５０」を生成する。また、「ＬＵＴ−Ｄ５０」に対する「ＬＵＴ−Ｆ１０」の混合比率を７５％としたルックアップテーブル「ＬＵＴ−７５」を生成する。また、「ＬＵＴ−Ｄ５０」に対する「ＬＵＴ−Ｆ１０」の混合比率を１００％としたルックアップテーブル、即ち「ＬＵＴ−Ｆ１０」を作成する。
【００４０】
ここで、ステップＳ５０３の処理においては、例えば、ユーザがディスプレイ１０８に表示されたユーザインタフェースを参照しながら、混合比率を設定し、所望の数のルックアップテーブルを入力部１０５を介して入力できるようにしても良い。
【００４１】
次に、ステップＳ５０４において、ステップＳ５０３で生成された複数のルックアップテーブルそれぞれに対応するパッチセットを生成し、一旦、ステップＳ４０３〜Ｓ４０５と同様の処理を行うことにより、パッチデータに従うパッチを印刷する。
【００４２】
ここで、図６を参照しながら、ステップＳ５０４において印刷されるパッチセットについて説明する。図６は、本実施形態において印刷されるパッチセットを示す図である。図６に示すパッチ６０１には、Ｋを用いて印刷する領域であるＫ領域６０２とＰＫを用いて印刷する領域であるＰＫ領域６０３との両方が交互に印刷されている。識別子６０４（Ａ〜Ｅ）は、パッチを識別するための記号である。
【００４３】
ステップＳ５０４では、ステップＳ５０３で生成されたルックアップテーブルに対して図４に示す色変換処理Ｓ４０３と同様の処理を行うとともに、Ｋ領域６０２とＰＫ領域６０３とを交互に並べるように色変換することによりパッチ６０１のデータを生成する。
【００４４】
生成されたパッチ６０１のデータは、ステップＳ４０４及びＳ４０５と同様の処理によって、インクジェット記録装置１０９に送信され、その結果、パッチが印刷される。
【００４５】
再び、図５を参照する。ステップＳ５０５において、ユーザは、このようにして印刷されたパッチ６０１を見て、視覚的に最もＫとＰＫの差が少ないパッチを選択する。その結果、観察環境の環境光に好適なルックアップテーブルの混合比率（寄与する率）が決定される。
【００４６】
次に、ステップＳ５０６において、このようにして選択された混合比率（識別子６０４）がホストコンピュータ１０１に受付けられ、記憶領域に記憶される。ここで、例えば、ユーザが、選択したパッチの識別子６０４を、インクジェット記録装置１０９上で入力し、その結果をホストコンピュータ１０１に送信するようにしても良い。または、ユーザが、入力部１０５によってディスプレイ１０８に表示されるユーザインタフェースによって入力するようにしても良い。
【００４７】
ルックアップテーブルの混合比率が決定されると、ステップＳ５０３において生成された複数のルックアップテーブルのうちから、ユーザの観察環境に合わせた最適なルックアップテーブルを決定することができる。
【００４８】
以上のように、図４に示すステップＳ４０２の色補正処理が行われると、ステップＳ４０３以降の処理において、決定されたルックアップテーブルが用いられる。また、以後、別の画像の印刷処理においても、以上のように決定されたルックアップテーブルが用いられることができる。
【００４９】
このように、本実施形態においては、ユーザの観察環境に最適な、ユーザの意図通りの印刷物の色再現を行うことができる。
【００５０】
本発明には、画像処理プログラムとしてのプログラムコードの指示に基づき、コンピュータ上で稼働しているオペレーティングシステム（ＯＳ）などが実際の処理の一部又は全部を行い、その処理によって前述した実施形態の機能が実現される場合も含まれる。更に、記憶媒体から読み出されたプログラムコードが、コンピュータに挿入された機能拡張カードやコンピュータに接続された機能拡張ユニットに備わるメモリに書き込まれた場合についても、本発明は適用される。その場合には、書き込まれたプログラムコードの指示に基づき、その機能拡張カードや機能拡張ユニットに備わるＣＰＵ等が実際の処理の一部又は全部を行い、その処理によって前述した実施形態の機能が実現される。
【図面の簡単な説明】
【００５１】
【図１】本発明に適用可能なインクジェット記録装置の内部構成を示す図である。
【図２】記録ヘッド１１の吐出口の配列状態を説明するための模式図である。
【図３】本実施形態における画像処理システムを示す図である。
【図４】本実施形態におけるＣＰＵ１０２が行う画像データの変換処理の手順を示すフローチャートである。
【図５】本実施形態における色補正処理を含む画像処理の手順を示すフローチャートである。
【図６】本実施形態において印刷されるパッチの一例を示す図である。
【符号の説明】
【００５２】
１  記録媒体
２  回復部
３  第１搬送ローラ対
４  第２搬送ローラ対
５ａ、５ｂ、５ｃ、５ｄ  インクタンク
６  キャリッジ
７  ベルト
８ａ、８ｂ  プーリ
９  ガイドシャフト
１０  キャリッジモータ
１１  記録ヘッド
６０１  パッチ
６０２  Ｋ領域
６０３  ＰＫ領域
６０４  識別子
【図１】
2010148073.tif 000003
【図２】
2010148073.tif 000004
【図３】
2010148073.tif 000005
【図４】
2010148073.tif 000006
【図５】
2010148073.tif 000007
【図６】
2010148073.tif 000008